(57)【特許請求の範囲】
【請求項１】
血液浄化器と血液回路、血液ポンプ、プライミング液容器、該血液ポンプの上流側で動脈側血液回路に該プライミング液容器と接続された第１のプライミング液供給ライン、静脈側血液回路に設けられた静脈側エアートラップおよび気泡センサーを含んでなる血液浄化装置において、前記動脈側血液回路はプライミング液を廃液容器に排出されるように設けられ、前記静脈側エアートラップに、前記プライミング液容器と接続された第２のプライミング液供給ラインが設けられてなる血液浄化装置。
【請求項２】
前記第２のプライミング液供給ラインが、プライミング液容器と接続された上流ラインと、静脈側エアートラップと接続された下流ラインとからなり、該上流ラインと下流ラインがコネクタを介して脱着自在に接続されてなる請求項１に記載の血液浄化装置。
【請求項３】
前記血液ポンプは、プライミング時に前記静脈側血液回路から前記動脈側血液回路へプライミング液を流す方向に駆動するようにされてなる請求項１または２に記載の血液浄化装置。
【請求項４】
落差を利用して、第１のプライミング液供給ラインとの接続部分より上流側の動脈側血液回路と静脈側エアートラップより下流側の静脈側血液回路をプライミングする工程と、血液ポンプを駆動して、静脈側エアートラップより上流側の血液循環路をプライミングする工程とを含んでなる、請求項１に記載する血液浄化装置の血液循環路のプライミング方法。
【発明の詳細な説明】
【技術分野】
【０００１】
本発明は、血管から体外に取り出した血液を浄化し、必要ならばこれに有用物質を補給することにより、生体の臓器機能を補助あるいは代行する血液浄化装置に関するもので、血液浄化器の血液流路を含む血液の循環路（以下、血液循環路という）を自動的にプライミングすることができるようにしたことを特徴とする。また、本発明は、上記の血液浄化装置を用いて行う自動プライミング方法に関する。
【背景技術】
【０００２】
従来、腎不全の患者や、術後の薬液注入によって水分過多症になった患者などの重篤な状態を改善するために、血液浄化装置を使用する血液透析や血液濾過が行われている。そして、一般に、血液浄化装置は、その使用に際して、血液回路内にプライミング液（一般に、生理食塩水）を導入充填して回路内の異物および空気を除去する処理（プライミングという）を行っている。そして、血液浄化装置の自動プライミング方法および処理装置については、動脈側血液回路と静脈側血液回路を連結して血液循環路を形成し、血液ポンプを作動させてプライミング液を血液循環路に循環させるとともに、プライミング液貯留容器から血液循環路にプライミング液を所定の流量で供給することにより、ドリップチャンバーに設けたオーバーフロー用チューブよりプライミング液の一部を排出してプライミングを行うようにした人工透析装置（例えば、特許文献１）や、特許文献１の装置において、プライミング液供給系からのプライミング液をそれ自体の落差を利用して血液ポンプの上流の動脈側回路部分から静脈側回路を通ってオーバーフロー系へと流動させる静脈側洗浄排出行程と、プライミング液供給系からのプライミング液をそれ自体の落差および血液ポンプを利用して血液ポンプの下流の動脈側回路部分からオーバーフロー系へと流動させる動脈側洗浄排出行程と、前記両工程による血液循環回路内の滞留液を血液ポンプにより血液循環路全体に循環させる全体洗浄循環行程を含んでなる自動プライミング方法および装置（例えば、特許文献２）、静脈側ドリップチャンバーに液面調整ラインが設けられ、動脈側採血部に採血側コネクタが設けられるとともに、液面調整ラインに採血側コネクタと接続可能なコネクタが設けられ、さらに、プライミング液供給ラインとの接続部分より上流側の動脈側血液回路に開閉手段が設けられてなり、この開閉手段を開き液面調整ラインのコネクタと採血側コネクタを接続することにより、プライミング液ラインとの接続部分より上流側の動脈側血液回路と静脈側ドリップチャンバーより下流側の静脈側血液回路をプライミングできるようにしてなる血液浄化装置（特許文献３）が提案されている。
【０００３】
【特許文献１】実公平５−１９０７５号公報
【特許文献２】特許公報第２６５９９１４号
【特許文献３】特開２００４−３５７９５７号
【０００４】
しかしながら、上記特許文献１および特許文献２の血液浄化装置は、動脈側血液回路と静脈側血液回路を連結して血液循環路を形成するものであり、プライミングに際してオーバーフローラインを必要としている。そして、このオーバーフローラインは、静脈側ドリップチャンバーの液面調整ラインに１メートル程度の長さを有するオーバーフロー用チューブを着脱自在に接続してなるものであり、治療中の液面調整がしにくいため、治療に際してオーバーフロー用チューブを取り外す必要があった。従って、その接続・取り外しに余分に手間がかかる上、チューブに付着している排出された使用済プライミング液の残液が、手に付着したり床に滴ったりして不潔であり、また、感染の問題がある。また、上記特許文献３の血液浄化装置は、プライミングに際してオーバーフローラインを必要としないものではあるが、ドリップチャンバー内にプライミング液（生食）を満たしてエアーを追い出すためには、動脈側ドリップチャンバー、静脈側ドリップチャンバー及び血液浄化器を反転する必要があり、そのため、プライミングに際して余分な手作業が必要になり、面倒であった。
【発明の開示】
【発明が解決しようとする課題】
【０００５】
本発明は、如上の事情に鑑みてなされたもので、プライミングに際して動脈側ドリップチャンバー（エアートラップ）や静脈側ドリップチャンバー（エアートラップ）、血液浄化器の反転操作を必要としない、また、オーバーフロー用チューブを必要としない血液浄化装置および、その血液循環路のプライミング方法を提供することを目的とする。
【課題を解決するための手段】
【０００６】
本発明の血液浄化装置は、血液浄化器と血液回路、血液ポンプ、該血液ポンプの上流側で動脈側血液回路に接続されたプライミング液供給ライン、静脈側血液回路に設けられた静脈側エアートラップおよび気泡センサーを含んでなり、静脈側エアートラップに、プライミング液供給ラインと接続可能なラインが設けられてなることを特徴とする。
ここで、プライミング液供給ラインと接続可能なラインは、静脈側エア−とラップに直結されていても、また、プライミング液供給ラインと接続可能な上流ラインと、静脈側エア−トラップと接続する下流ラインとからなり、この上流ラインと下流ラインがコネクタを介して脱着自在に接続されていてもよい。また、プライミング液供給ラインと接続可能なラインは、プライミング液容器と接続されるのが好ましい。
【０００７】
また、本発明の血液循環回路のプライミング方法は、落差を利用して、プライミング液供給ラインとの接続部分より上流側の動脈側血液回路と静脈側エアートラップより下流側の静脈側血液回路をプライミングする行程と、血液ポンプを駆動して、静脈側エアートラップより上流側の血液循環路をプライミングする行程とを含んでなることを特長とする。
【発明の効果】
【０００８】
本発明によれば、以下のような効果が期待できる。すなわち、本発明の血液浄化装置は、プライミングに際して動脈側ドリップチャンバーや静脈側ドリップチャンバー、血液浄化器の反転操作を必要としないので、プライミングに要する手間や時間を節約できる。また、オーバーフロー用チューブを必要としないので、その接続・取り外しの手間が省ける上、チューブに付着している排出された使用済プライミング液の残液による床の汚染や、感染の問題を回避することができる。
【発明を実施するための最良の形態】
【０００９】
静脈側エアートラップに、プライミング液供給ラインと接続可能なラインが設けられており、このプライミング液供給ラインと接続可能なラインは、プライミング液容器と接続された上流ラインと、静脈側エア−トラップと接続された下流ラインとからなり、この上流ラインと下流ラインがコネクタを介して脱着自在に接続されている。
【実施例１】
【００１０】
次に、本発明の実施例１について、図１〜３を用いて説明する。
図１は本発明の一実施例を示す透析装置の概略説明図（透析液側は省略している）であり、図２及び図３は、図１に示す透析装置のプライミング操作の説明図である。
図１に示すように、本発明の透析装置は、血液浄化器１と血液回路２１、２２、血液ポンプ２３、この血液ポンプ２３の上流側で動脈側血液回路２１に接続された第１のプライミング液供給ライン３、静脈側血液回路２２に設けられた静脈側エアートラップ２５および気泡センサー２６を含んでなり、静脈側エアートラップ２５には、プライミング液容器３１と接続された第２のプライミング液供給ライン４が設けられている。
【００１１】
図１において、血液循環路は、血液浄化器１の血液通路と動脈側血液回路２１および静脈側血液回路２２からなる。動脈側血液回路２１には、上流側から順に、開閉弁Ｖ１、血液ポンプ２３、動脈側エアートラップ２４が設けられている。そして、血液ポンプ２３と開閉手段Ｖ１の間の動脈側血液回路２１には、第１のプライミング液供給ライン３が接続されており、第１のプライミング液供給ライン３には、その上流側から順に、プライミング液容器３１、液切れセンサー３２、開閉手段Ｖ３が設けられている。第１のプライミング液供給ライン３には、必要ならば、開閉手段Ｖ３の下流にプライミング液注入手段（図持していない）を設けてもよい。
一方、静脈側血液回路２２には、上流側から順に、静脈側エアートラップ２５、静脈側血液回路への気泡の混入の有無を検知するための気泡センサー２６、開閉手段Ｖ２が設けられており、排出されたプライミング液は廃液容器５に流入する。静脈側エアートラップ２５にはプライミング液容器３１と接続された第２のプライミング液供給ライン４が設けられており、第２のプライミング液供給ライン４は、プライミング液容器３１と接続された上流ライン４１と、静脈側エア−トラップ２５と接続された下流ライン４２とからなる。この上流ライン４１と下流ライン４２はコネクタ４１１、４２１を介して脱着自在に接続されている。そして、上流ライン４１には液切れセンサー４３と開閉弁Ｖ４が設けられている。このコネクタ４１１、４２１は、透析治療などの血液浄化処理中にはキャップ（図示していない）などで閉鎖される。
尚、液切れセンサー３２、４３としては、通常、超音波センサーが採用される。
【００１２】
プライミングに際しては、先ず、図２に示すように、第２のプライミング液供給ライン４の上流ライン４１と下流ライン４２をコネクタ４１１、４２１で接続して、静脈側エアートラップ２５とプライミング液容器を液体連通させ、次いで、開閉弁Ｖ１、Ｖ２、Ｖ３、Ｖ４を開いて、落差圧により、プライミング液供給ライン３との接続部分２７より上流側の動脈側血液回路２１Ａと、静脈側エアートラップ２５及びこれより下流側の静脈側血液回路２２Ｂをプライミングする。次に、図３に示すように、開閉弁Ｖ２とＶ３を閉じ、血液ポンプ２３を駆動して、静脈側エアートラップ２５及びこれより上流側の静脈側血液回路２２Ａと、血液透析器１の血液流路、動脈側血液回路２１をプライミングする。プライミングに使用されたプライミング液は廃液容器５に排出される。これで、血液循環路のプライミングが終了する。
【実施例２】
【００１３】
次に実施例２について図４〜６を用いて説明する。
図４は、本発明の他の一実施例を示す持続的血液浄化装置の概略説明図である。
図４に示すように、本発明の持続的血液浄化装置は、図１において、省略された透析液側を、透析液容器６１１、液切れセンサー６１２、開閉弁Ｖ５、透析液ポンプ６１３を備えた透析液供給ライン６１と、濾過ポンプ６２１、開閉弁Ｖ６を備えた排液ライン６２で構成したことを特長とする。
この装置の場合、血液循環路のプライミングは、実施例１と同様である。
【図面の簡単な説明】
【００１４】
【図１】本発明の血液浄化装置の実施例を示す概略説明図である。
【図２】図１に示す血液浄化装置における血液循環路のプライミング方法の説明図である。
【図３】図１に示す血液浄化装置における血液循環路のプライミング方法の説明図である。
【図４】本発明の血液浄化装置の他の実施例を示す概略説明図である。
【符号の説明】
【００１５】
１      血液浄化器
２１    動脈側血液回路
２１Ａ  プライミング液供給ラインとの接続部分より上流側の動脈側血液回路
２２    静脈側血液回路
２２Ａ  静脈側エアートラップより上流側の静脈側血液回路
２２Ｂ  静脈側エアートラップより下流側の静脈側血液回路
２３    血液ポンプ
２４    動脈側エアートラップ
２５    静脈側エアートラップ
２６    気泡センサー
２７    プライミング液供給ラインとの接続部分
３      第１のプライミング液供給ライン
３１    プライミング液容器
３２    液切れセンサー
４      第２のプライミング液供給ライン
５      廃液容器
Ｖ１、Ｖ２、Ｖ３、Ｖ４、Ｖ５、Ｖ６  開閉弁
６１    透析液供給ライン
６１１  透析液容器
６１２  液切れセンサー
６１３  透析液ポンプ
６２    排液ライン
６２１  濾過ポンプ
【図１】
0004613831.tif 000002
【図２】
0004613831.tif 000003
【図３】
0004613831.tif 000004
【図４】
0004613831.tif 000005